(57)【特許請求の範囲】
【請求項１】
土寄せして高畦を形成するディスクコルターと、そのディスクコルターの後方において上記高畦を鎮圧成形する高畦成形体とを備えてなる高畦成形装置において、上記ディスクコルターを、それの下周頂部（ｄ）が、該ディスクコルターの開度を変えたときにおいても、上記高畦成形体の下周頂部（ｅ）と、本装置の進行方向一直線上に位置するように支承してなることを特徴とする高畦成形装置。
【請求項２】
横架材に直状上側部を上下動および回動できるようにして支承した縦軸杆の偏倚下側部にディスクコルターを軸支し、そのディスクコルターが、それの開口周面（ａ１） を上記直状上側部の軸延長線（ｃ）を含む垂直面内で回転するようしてなることを特徴とする請求項１記載の高畦成形装置。
【請求項３】
上記横架材および縦軸杆を介してディスクコルターを支持するブラケットに基端を連結した支持部材の遊端側に、高畦成形体を軸支するとともに、上記ブラケットと支持部材との間に、高畦成形体を下方に向けて弾圧付勢する調整杆をコイルバネを巻装し架設してなることを特徴とする請求項２記載の高畦成形装置。
【請求項４】
上記高畦成形体の後方に高畦の上面を踏圧する畦上面踏圧輪を設けてなることを特徴とする請求項１，２または３記載の高畦成形装置。
【請求項５】
畦上面踏圧輪の周面形状を平坦面とし、高畦の上面を下方外側に向かう押圧力で踏圧するようにしてなることを特徴とする請求項４記載の高畦成形装置。
【請求項６】
畦上面踏圧輪の周面形状を凹状面とし、高畦の上面を下方内側に向かう押圧力で踏圧するようにしてなることを特徴とする請求項４記載の高畦成形装置。
【請求項７】
横架材および縦軸杆を介してディスクコルターを支持するブラケットに基端を連結した支持部材の遊端側に軸支連結した回動枠のさらに遊端側に、上記畦上面踏圧輪を軸架し、かつ、上記ブラケットと回動枠との間に、上記畦上面踏圧輪を下方に向けて弾圧付勢する調整杆をコイルバネを巻装し架設してなることを特徴とする請求項４，５または６記載の高畦成形装置。
【請求項８】
上記高畦成形体の後方に、上記高畦の間に畦状に残ろうとする土を均す残土均し部材を設けたことを特徴とする請求項１，２，３，４，５，６または７記載の高畦成形装置。
【請求項９】
横架材および縦軸杆を介してディスクコルターを支持するブラケットに基端を連結した支持部材の遊端側に軸支連結した回動枠のさらに遊端側に、上記残土均し部材を取り付け、かつ、上記ブラケットと回動枠との間に、残土均し部材を下方に向けて弾圧付勢する調整杆をコイルバネを巻装し架設してなることを特徴とする請求項８記載の高畦成形装置。
【請求項１０】
上記ディスクコルターの前方であって、かつ、本装置が牽引されることになる牽引車の車輪の軌跡に一致する位置に耕起爪片を設置してなることを特徴とする請求項１，２，３，４，５，６，７，８または９記載の高畦成形装置。
【請求項１１】
上記耕起爪片を、移植機または播種機の機枠の後端に取り付けた支持部材の下端に取り付けてなることを特徴とする請求項１０記載の高畦成形装置。
【発明の詳細な説明】
【０００１】
【産業上の利用分野】
本発明は、移植機または播種機の後部に装置して使用する高畦成形装置の改良に関する。
【０００２】
【従来の技術】
移植機または播種機により当該作物の苗または種子を浅植えまたは浅播きした直後に、ディスクコルターで両側から土寄せして高畦とし、その高畦を高畦成形体で鎮圧成形する高畦成形装置は、既に実公昭５８−４５５２６号公報，実開平６１−５６８３２号公報等に記載されていて公知である。
【０００３】
【発明が解決しようとする課題】
これら公知の高畦成形装置には次のごとき課題がある。
(1)  ディスクコルターによる土寄せ量は、該高畦成形装置の進行方向に対するディスクコルターの開度によって調整設定されるものであるところ、そのディスクコルターの下周頂部と高畦成形体の下周頂部が上記進行方向一直線上に揃っていないこと、換言すると、左右に食い違って位置すること等に起因し、効率のよい高畦の鎮圧成形ができない。このことは例えば、ディスクコルターが土寄せした土の全量が高畦成形体による高畦の鎮圧成形に常に寄与しているとは限らないということを意味する。
【０００４】
(2)  高畦成形体は、ディスクコルターが土寄せし形成した高畦の両側面を鎮圧するだけであるために、移植苗または播種種が列設位置するその高畦の上面中央の土が盛り上がって緩んだ状態となり、苗または種の前後に空隙を生じるとか、その緩んだ土が風で飛散してしまう。
【０００５】
(3)  隣り合う高畦の間に残土を畦状に残してしまう。すなわち、例えば、多畦用高畦成形装置では、隣り合う各別の畦の形成に関与するディスクコルター同士の下周間、および同じく各別の畦の鎮圧成形に関与する高畦成形体同士の下周間を通過した土が、隣り合う高畦の間に畦状に残る。単畦用高畦成形装置においても同様である。
【０００６】
(4)  該高畦成形装置を装置した移植機または播種機は、トラクター等の牽引車両により牽引され走行するものであるが、その牽引車両の車輪と同じ軌跡上を通ることになるディスクコルターが、該車輪で踏圧された土によって浮き上がり所期の土中深さに達しないことがあり、十分な土寄せ機能を発揮できない。
【０００７】
本発明の目的は、ディスクコルターの開度に関係なく、そのディスクコルターが土寄せした土の全量で形成された高畦を鎮圧成形すること、高畦の上面中央を踏圧して土の緩みをなくすこと、隣り合う高畦の間に畦状の土を残さないこと、ディスクコルターを牽引車両の車輪で踏圧された土に対しても所期の深さまで到達させ、該ディスクコルターに十分な土寄せ機能を発揮させること、等を実現することにある。
【０００８】
【課題を解決するための手段】
請求項１の発明高畦成形装置Ａは、土寄せして高畦ｈ，ｈ′を形成するディスクコルターａ，ａ，ａ′，ａ′と、これらのディスクコルターの後方において、上記高畦ｈ，ｈ′を鎮圧成形する高畦成形体ｂ，ｂ、ｂ′，ｂ′とを備え、さらに、上記各ディスクコルターを、その下周頂部ｄが、該各ディスクコルターの開度を変えたときにおいても、上記各高畦成形体の下周頂部ｅと、本装置Ａの進行方向一直線ｆ，ｆ′上に位置するように支承してなるものである。
【０００９】
それには、横架材８，８′に直状上側部を上下動および回動できるようにして支承した縦軸杆９，９，９′，９′の偏倚下側部に、各ディスクコルターを軸支し、そのディスクコルターが、それの開口周面ａ1 を上記直状上側部の軸延長線ｃを含む垂直面内で回転するようにすると、構成が簡単であり好適である。
【００１０】
また、上記横架材および縦軸杆を介してディスクコルターを支持するブラケット７，７′に基端を連結した支持部材１３，１３′の遊端側に、上記各高畦成形体を軸支するとともに、上記ブラケット７，７′と支持部材１３，１３′との間に、上記各高畦成形体を下方に向けて弾圧付勢する調整杆１５，１５′をコイルバネ１７，１７′を巻装し架設すると、各高畦成形体が確実に機能する。
【００１１】
請求項４の発明高畦成形装置Ａは、上記ディスクコルターおよび高畦成形体のほかに、高畦ｈ，ｈ′の上面を踏圧する畦上面踏圧輪ｇ，ｇ′を、上記高畦成形体の後方に設けてなる。
その畦上面踏圧輪ｇ，ｇ′の周面形状は、平坦面のほか凹状面とすることもでき、前者によれば高畦ｈ，ｈ′の上面を下方外側に向かう押圧力で、後者によれば該高畦ｈ，ｈ′の上面を下方内側に向かう押圧力でそれぞれ踏圧することができるもので、いずれの形状にするから土質等に応じて適宜決定できる。
上記畦上面踏圧輪ｇ，ｇ′は、支持部材１３，１３′の遊端側に軸支連結した回動枠１９，１９′の遊端側に軸架し、かつ、下方に向けて弾圧付勢すると、その機能を十分に発揮できて好適である。
【００１２】
請求項８の発明高畦成形装置Ａは、上記ディスクコルターおよび高畦成形体のほかに、上記高畦ｈ，ｈ′の間に畦状に残ろうとする土ｊを均す残土均し部材ｉを設けてなる。
上記残土均し部材ｉは、回動枠１９，１９′に、下方に向けて弾圧付勢するように架設すると、その機能を十分に発揮できて好適である。
【００１３】
請求項１０の発明高畦成形装置Ａは、上記ディスクコルターおよび高畦成形体のほかに、しかも、そのディスクコルターの前方であって、かつ、本装置Ａが牽引されることになる牽引車の車輪の軌跡に一致する位置に耕起爪片ｋ，ｋ′を設置してなる。
この耕起爪片ｋ，ｋ′は、移植機または播種機の機枠１の後端に取り付けた支持部材２９，２９′の下端に取り付けることによって簡単に構成できる。
【００１４】
【作用】
請求項１〜１１の高畦成形装置は、ディスクコルターが土寄せして高畦を形成するとともに、その両側面を高畦成形体が鎮圧成形するにあたり、高畦の高さを、ディスクコルターの開度を調整して土寄せ量を変えることにより適宜定めることができるものであるが、その開度の如何にかかわりなく、各ディスクコルターの下周頂部ｄは左右に変位することなく、常に、高畦成形体の下周頂部ｅと本装置の進行方向の同一直線上に位置するので、換言すると、両下周頂部が左右方向に食い違いを生じることがないので、高畦成形体は、ディスクコルターが土寄せした土の全量による高畦の効率のよい鎮圧成形を行うことができる。
【００１５】
請求項４〜７の高畦成形装置によれば、畦上面踏圧輪が高畦の上面を踏圧することによって、その上面の土を適宜締め付け、土が風で飛散するようなことがないようにできる。
【００１６】
請求項８，９の高畦成形装置は、残土均し部材が、隣り合う高畦の間に残ろうとする土を均すことができる。
【００１７】
請求項１０，１１の高畦成形装置は、一般にディスクコルターのうちの特に左右外側に位置するディスクコルターは、本装置Ａを牽引する牽引車両の車輪と同じ軌跡上を運行されるが、その牽引車の車輪が踏圧したところを耕起爪片が耕起するので、上記左右外側のディスクコルターが浮き上がることなく土中所要深さに達し所期の土寄せを行うことができる。
【００１８】
【実施例】
以下には、本発明の実施例を移植機に装置して示す２畦用の高畦成形装置について詳しく説明する。
【００１９】
この２畦用の高畦成形装置Ａは、同じく２畦用の移植機Ｂの後部に装置されている。
その移植機Ｂは、機枠１の上面中央に苗供給装置２を、同後側に苗台３を、下面中央に作溝器４を、さらに、この作溝器４と駆動輪５との間に回転植付け器６を、それぞれ２畦分備えてなる公知のもので、苗台３上の移植苗を手作業または適宜の自動手段で苗供給装置２に供給することによって、回転植付け器６が、作溝器４が作溝した畦溝に所要の植付け間隔で、２畦浅植えすることができる。
【００２０】
多畦用高畦成形装置Ａにおいて、７，７′は上記移植機Ｂの機枠１の後端に基端を固定した左右一対のブラケット、８，８′はそのブラケット７，７′に貫通支承した横架材、９，９は横架材８の内端と外端に，９′，９′は横架材８′の内端と外端に、それぞれ直状上側部を上下動および回動させることができるようにして挿通した縦軸杆である。
１０は横架材８，８′の内外両端部にそれぞれ水平に螺合挿通し、先端を各縦軸杆の上記直状上側部に圧接することにより、その各縦軸杆を横架材８，８′に対し固定支持する押しボルトで、各縦軸杆の上下動および回動はこの押しボルト１０を緩めた状態で行う。
【００２１】
ａ，ａ、ａ′，ａ′は、上記縦軸杆９，９、９′，９′の偏倚下側部に、ａとａ、ａ′とａ′をそれぞれ内向きにして軸支したディスクコルターで、これらのディスクコルターは、その開口周面ａ1 を（図４）、それぞれの縦軸杆の上記直状上側部の軸延長線ｃを含む垂直面と一致させ、該垂直面内で回転するように軸支されているもので、その軸支は、突出軸１１を各縦軸杆の下端の軸受け筒１２に挿嵌することによって行っている。
【００２２】
ディスクコルターａとａ、ａ′とａ′の本装置Ａの進行方向（矢印（イ））側すなわち前側の開度を大とすると土寄せ量が多くなるからより高い畦を形成でき、反対にその開度を小にすると土寄せ量が減り畦が低くなるものであり、その開度調整は、押しボルト１０を緩めた状態で、各縦軸杆を、その上端に適宜のアジャストスパナ（図示していない）を嵌めて回動することにより行うものであるが、上記のようにディスクコルターの開口周面ａ1 を縦軸杆の軸延長線ｃを含む垂直面と一致させているので、各ディスクコルターの下周頂部ｄは、該ディスクコルターの開度の如何によって変位することなく、当初設定位置を維持する。
【００２３】
ｂ，ｂ、ｂ′，ｂ′は、基端を上記ブラケット７，７′に回動自在に軸支連結した細長板状の支持部材１３，１３′の各遊端であって、しかも、ディスクコルターａ，ａ、ａ′，ａ′より後方の位置に、ｂとｂ、ｂ′とｂ′をそれぞれ内向きにして軸支した高畦成形体で、これら各高畦成形体は、その下周頂部ｅを、上記各ディスクコルターの下周頂部ｄと、本装置Ａの進行方向（矢印（イ））に走る一直線ｆ，ｆ′上に設置している（図３）。
【００２４】
１４，１４′はブラケット７，７′に設けた小ブラケット、１５，１５′は上端側を小ブラケット１４，１４′の横架軸１６，１６′に摺動自在に貫通支承するとともに下端を上記支持部材１３，１３′のほぼ中央に軸支した調整杆であり、１７，１７′はストッパー１８，１８′と小ブラケット１４，１４′との間において調整杆１５，１５′に巻装したコイルバネである（図１，２）。
【００２５】
したがって、上記各高畦成形体は、支持部材１３，１３′を介しコイルバネ１７，１７′によって下方に弾圧付勢され、かつ、その付勢力はストッパー１８，１８′の固定位置を変えることにより適宜調整できる。
【００２６】
ｇ，ｇ′は畦上面踏圧輪で、これらは、基端を上記支持部材１３，１３′に回動自在に軸支連結した平面凸形の回動枠１９，１９′の各遊端側であって、しかも上記各高畦成形体の後方至近位置に軸架されている。
畦上面踏圧輪ｇ，ｇ′の周面形状を、図３，６に示すような平坦面にすると、上記高畦成形体が鎮圧成形した高畦ｈ，ｈ′の上面を下方外側に向かう押圧力で踏圧でき、また、図７に示すように凹状面とすると、高畦ｈ，ｈ′の上面を下方内側に向かう押圧力で踏圧できるもので、いずれの形状を採用するかは土質等を考慮し適宜決定すればよい。
高畦成形体が高畦ｈ，ｈ′の両側面を鎮圧することにより盛り上がり緩んだ状態の上面中央が、これら畦上面踏圧輪ｇ，ｇ′による踏圧によって締まるから風でその上面の土が飛散するようなことがなくなるものである。
【００２７】
２０，２０′は上記小ブラケット１４，１４′に重合設置した小ブラケット２１，２１′に基端を回動自在に軸支した調整杆で、その遊端側を、回動枠１９，１９′に起立したブラケット２２，２２′の横架軸２３，２３′に摺動自在に貫通支承している。
【００２８】
２４，２４′はストッパー２５，２５′と小ブラケット２２，２２′との間において調整杆２０，２０′に巻装したコイルバネで、該コイルバネ２４，２４′によって、踏圧輪ｇ，ｇ′は下方に弾圧付勢され、かつ、その付勢力はストッパー２５，２５′の固定位置を変えることにより適宜調整できる。
【００２９】
ｉは畦上面踏圧輪ｇ，ｇ′の間であって、そのやや後方位置に支持した平面Ｖ字形の残土均し部材で、上記回動枠１９，１９′に跨架した連結桟２６に軸支した腕杆２７の遊端に上記Ｖ字形の頂部を固着している。
この残土均し部材ｉは、高畦成形体が鎮圧成形した高畦ｈ，ｈ′の間に残ろうとする畦状土ｊ（図５）を均す作業を行うものである。
【００３０】
ｋ，ｋ′は、上記移植機Ｂの機枠１の後端の左右に固定したブラケット２８，２８′に基端を固定した支持部材２９，２９′の下端に取り付けた耕起爪片である。
この耕起爪片ｋ，ｋ′は、上記ディスクコルターのうちの左右外側に位置するディスクコルターａ，ａ′の前方、また、移植機Ｂを牽引するトラクター等の牽引車両の車輪が通過する軌跡上に、上記の支持部材２９，２９′によって支持されているもので、牽引車両の車輪が踏圧した土を耕起し、上記ディスクコルターが浮き上がることなく土中所要深さに達し、所期の土寄せが効果的に行われるようにするためのものである。
【００３１】
ｍ，ｍ′は、ディスクコルターａとａ、ａ′とａ′の各間に位置するようにして、上記支持部材１３，１３′に装架した移植苗の埋没防止枠で、この埋没防止枠ｍ，ｍ′は、移植機Ｂの回転植付け器６によって浅植えされた移植苗が、各ディスクコルターによる土寄せにより、土を被りすぎ高畦の中に必要以上に埋没してしまうのを防止する。
【００３２】
かかる構成の本装置Ａによれば、移植機Ｂが回転植付け器６によって移植苗を２畦浅植えするのにともない、その２畦に対し、ディスクコルターａとａ、ａ′とａ′が土寄せして高畦ｈ，ｈ′を形成するとともに、その高畦ｈ，ｈ′の両側面を高畦成形体ｂとｂ、ｂ′とｂ′が鎮圧成形し（図５）、さらに、その高畦ｈ，ｈ′の上面を畦上面踏圧輪ｇ，ｇ′が踏圧する（図６，７）。
これによって、両側面および上面を所期どおりに締め付けた高畦ｈ，ｈ′とすることができるもので、特に、畦上面踏圧輪ｇ，ｇ′による高畦ｈ，ｈ′の上面の締め付けにより土が浮き上がったままとなることがなく、したがって、風で飛散するようなことがない。
【００３３】
上記において、高畦ｈ，ｈ′の高さは、前述のとおりディスクコルターの開度を調整して土寄せ量を変えることにより適宜定めることができるものであるが、その開度の如何にかかわりなく、各ディスクコルターの下周頂部ｄは左右に変位することなく、常に、高畦成形体の下周頂部ｅと本装置Ａの進行方向の同一直線ｆ，ｆ′上に位置するので、換言すると、両下周頂部ｄ，ｅが左右方向に食い違いを生じることがないので、高畦成形体は、ディスクコルターが土寄せした土の全量による高畦の効率のよい鎮圧成形を行うことができる。
【００３４】
また、ディスクコルターのうちの左右内側に位置し隣接するディスクコルターａ，ａ′の下周間、および、高畦成形体のうちの左右内側に隣接位置する高畦成形体ｂ，ｂ′の下周間を通過する土によって、高畦ｈ，ｈ′の間に土ｊが畦状に残ろうとするが、それは、残土均し部材ｉによって均してしまうことができるものである。
【００３５】
上記ディスクコルターのうちの左右外側に位置するディスクコルターａ，ａ′は、移植機Ｂを牽引する牽引車両の車輪と同じ軌跡上を運行されるが、その牽引車の車輪が踏圧したところを耕起爪片ｋ，ｋ′が耕起するので、上記左右外側のディスクコルターａ，ａ′は浮き上がることなく土中所要深さに達し所期の土寄せを行うことができる。
【００３６】
【発明の効果】
以上詳述したところから明らかなように本発明によれば次の効果を奏する。
【００３７】
(1)  請求項１〜１１の高畦成形装置は、ディスクコルターの開度の如何にかかわりなく、各ディスクコルターの下周頂部が左右に変位することなく、常に、高畦成形体の下周頂部と本装置の進行方向の同一直線上に位置するので、換言すると、両下周頂部が左右方向に食い違いを生じることがないので、高畦成形体は、ディスクコルターが土寄せした土の全量による高畦の効率のよい鎮圧成形を行うことができる。
【００３８】
(2)  請求項４〜７の高畦成形装置によれば、畦上面踏圧輪で高畦の上面を踏圧することによって、その上面の土を適宜締め付けることができ、したがって、土が風で飛散するようなことがない。
【００３９】
(3)  請求項８，９の高畦成形装置は、残土均し部材が、隣り合う高畦の間に畦状に残ろうとする土を均してしまうことができる。
【００４０】
(4)  請求項１０，１１の高畦成形装置は、牽引車の車輪が踏圧したところを耕起爪片が耕起するので、同じ軌跡を通るディスクコルターが浮き上がることなく土中所要深さに達し所期の土寄せを行うことができる。
【図面の簡単な説明】
【図１】本発明の実施例として移植機に装置して示す２畦用高畦成形装置の側面図である。
【図２】同上の高畦成形装置の側面図である。
【図３】同上の平面図である。
【図４】ディスクコルターの軸支状態の平面図である。
【図５】ディスクコルターによる土寄せ状況と高畦成形体による鎮圧成形状況を示す説明図である。
【図６】周面を平坦面とした畦上面踏圧輪の正面図である。
【図７】周面を凹状面とした畦上面踏圧輪の正面図である。
【符号の説明】
Ａ    本発明高畦成形装置
ａ，ａ′  ディスクコルター
ａ１      ディスクコルターの開口周面
ｂ，ｂ′  高畦成形体
ｃ    縦軸杆の軸延長線
ｄ    ディスクコルターの下周頂部
ｅ    高畦成形体の下周頂部
ｆ，ｆ′  進行方向一直線
ｇ，ｇ′  畦上面踏圧輪
ｈ，ｈ′  高畦
ｉ    残土均し部材
ｊ    畦状の土
ｋ，ｋ′  耕起爪片
１    機枠
７，７′  ブラケット
８，８′  横架材
９，９′  縦軸杆
１３，１３′  支持部材
１５，１５′  調整杆
１７，１７′  コイルバネ
１９，１９′  回動枠
２９，２９′  支持部材
【図１】
0003586886.tif 000002
【図２】
0003586886.tif 000003
【図３】
0003586886.tif 000004
【図４】
0003586886.tif 000005
【図５】
0003586886.tif 000006
【図６】
0003586886.tif 000007
【図７】
0003586886.tif 000008